(57)【要約】【課題】捕虫器を用いた害虫防除装置において、捕虫器の設置位置や天井面の高さに拘わらず、室内の下方を飛翔する虫も効果的に誘引・捕獲できるようにする。【解決手段】害虫防除装置１は、虫２を誘引する光源３及び虫２を捕獲する捕獲部４を有する捕虫器５を備える。この捕虫器５は、光源３及び捕獲部４を収納する筐体５０と、この筐体５０に設けられ、光源３からの光を出射する開口部５１と、を備える。また、害虫防除装置１は、開口部５１の上端から前方へ突出した遮蔽部６を備え、この遮蔽部６は、開口部５１から出射される光のうち、上方へ向かう光を遮蔽して、害虫防除装置１の下方向へ反射する。これにより、捕虫器５の設置位置等に拘わらず、室内の下方を飛翔する虫が効果的に誘引され捕虫器５で捕獲される。【選択図】図１
2008154519.tif 000002
【特許請求の範囲】
【請求項１】
虫を誘引する光源と、前記光源により誘引された虫を捕獲する捕獲部と、前記光源及び捕獲部を収納する筐体と、前記筐体に設けられ、前記光源からの光を出射する開口部と、を備えた捕虫器を用いた害虫防除装置であって、
前記開口部の上端から前方へ突出し、前記開口部から出射される光のうち、上方へ向かう光を遮蔽する遮蔽部を備えたことを特徴とする害虫防除装置。
【請求項２】
前記遮蔽部の表面は、前記開口部から出射される光の一部又は全部を反射する反射特性を有することを特徴とする請求項１に記載の害虫防除装置。
【請求項３】
前記捕虫器は、室開口部上方に設置され、前記遮蔽部の横幅は、室開口部の横幅よりも大きく形成されていることを特徴とする請求項１又は請求項２に記載の害虫防除装置。
【請求項４】
前記遮蔽部には、貫通孔が形成されていることを特徴とする請求項１乃至請求項３のいずれか一項に記載の害虫防除装置。
【請求項５】
前記遮蔽部の先端部は、該遮蔽部の基部よりも上方に位置することを特徴とする請求項１乃至請求項４のいずれか一項に記載の害虫防除装置。
【発明の詳細な説明】
【技術分野】
【０００１】
本発明は、光源により誘引された害虫を捕獲して、これらの虫による被害を防除する害虫防除装置に関する。
【背景技術】
【０００２】
建物内に侵入した飛翔昆虫は、産業や生活において様々なトラブルの要因となる。例えば、食品工場や飲食店では、虫が商品等に混入したり、小売店では、虫が店舗内で飛びまわって買い物客等に不快感を与えることがある。
【０００３】
そのため、従来から、建物内に侵入した飛翔昆虫を捕獲して、これらの虫による被害を防除するために、様々な捕虫器が提供されている。例えば、特許文献１及び特許文献２に示されるように、害虫を誘引する光を出射する光源を備え、光源にから出射される光に誘引された害虫を捕獲する捕虫器が知られている。
【０００４】
上記特許文献１及び特許文献２に示される捕虫器は、例えば、図７に示されるように、壁面の比較的天井に近い位置に設置される。この種の捕虫器１０５は、一般的に、光源１０３からの光の多くが天井面方向に出射されるように配置される。ハエ類をはじめとする多くの飛翔昆虫は、上方に向かって飛ぶ習性があり、天井面に定位することが多いことから、捕虫器１０５を天井面近傍に設置することにより、これら天井面に定位する虫が効果的に捕獲されることが期待される。また、天井面方向に光が出射されるようにすると、光が天井面で反射して室内の下方にも届くようになり、下方を飛翔する虫も誘引することができるようになり、虫の誘引効果が高まる。
【特許文献１】特開２００６−１４９２５２号公報
【特許文献２】特公平７−５５１２１号公報
【発明の開示】
【発明が解決しようとする課題】
【０００５】
しかしながら、上記の特許文献１及び特許文献２に示される捕虫器は、光源のランプ交換や粘着シートのメンテナンス等のため、一般的には、人の手が届く高さに設置される。そのため、例えば、これらの捕虫器が天井の高い部屋に設置されたときは、光が天井面で反射され難くなるので、室内の下方には光が十分に届かなくなる。飛翔昆虫の中には、飛翔能力が低い又はその習性のため、床面の近くしか飛翔しない昆虫も一定数存在する。従って、上記の特許文献１及び特許文献２に示される捕虫器のように、高い位置に設置された捕虫器では、下方を飛翔する虫に対する誘引効果が低くなる。また、捕虫器が天井面の近傍に設置されると、天井面で光が反射して室内の下方にも光を向けることができるが、光が照射される天井面部分（図中の斜線部に示す）に集中的に虫が誘引されてしまい、これらの虫が天井面に衝突等することによって天井が汚れることがある。
【０００６】
本発明は上記課題を解決するものであり、捕虫器の設置位置や天井面の高さに拘わらず、室内の上方及び下方を飛翔する虫を効果的に誘引して、捕獲することができ、かつ光に誘引された虫による天井の汚れが抑制される害虫防除装置を提供することを目的とする。
【課題を解決するための手段】
【０００７】
請求項１の発明は、虫を誘引する光源と、前記光源により誘引された虫を捕獲する捕獲部と、前記光源及び捕獲部を収納する筐体と、前記筐体に設けられ、前記光源からの光を出射する開口部と、を備えた捕虫器を用いた害虫防除装置であって、前記開口部の上端から前方へ突出し、前記開口部から出射される光のうち、上方へ向かう光を遮蔽する遮蔽部を備えたものである。
【０００８】
請求項２の発明は、請求項１に記載の害虫防除装置において、前記遮蔽部の表面は、前記開口部から出射される光の一部又は全部を反射する反射特性を有するものである。
【０００９】
請求項３の発明は、請求項１又は請求項２に記載の害虫防除装置において、前記捕虫器は、室開口部上方に設置され、前記遮蔽部の横幅は、室開口部の横幅よりも大きく形成されているものである。
【００１０】
請求項４の発明は、請求項１乃至請求項３のいずれか一項に記載の害虫防除装置において、前記遮蔽部には、貫通孔が形成されているものである。
【００１１】
請求項５の発明は、請求項１乃至請求項４のいずれか一項に記載の害虫防除装置において、前記遮蔽部の先端部は、該遮蔽部の基部よりも上方に位置するものである。
【発明の効果】
【００１２】
請求項１の発明によれば、捕虫器の開口部から出射される光のうち、上方へ向かう光が遮蔽部により遮蔽され、その一部は下方向へ反射する。そのため、捕虫器の設置位置や天井面の高さに拘わらず、害虫防除装置の下方にも光が届くので、室内の下方を飛翔するような虫も効果的に誘引される。また、天井面へ向かう光が遮蔽されているので、虫が天井面に誘引されて衝突するといったこともなく、天井面が汚れることもない。
【００１３】
請求項２の発明によれば、害虫防除装置の下方にも多くの光が届くようになるので、下方を飛翔する虫に対する誘引効果が高まる。
【００１４】
請求項３の発明によれば、室開口部から室内へ侵入した直後に、多くの虫を誘引して捕獲できる。また、捕虫器から上方に出射された光が、遮蔽部により反射されて、害虫防除装置の下方にも届き、虫の誘引効果が更に高まる。
【００１５】
請求項４の発明によれば、遮蔽部に照射された光の一部が、遮蔽部を透過して、害虫防除装置の上方にも届くようになるので、害虫防除装置の直上を飛翔する虫を効果的に誘引することができる。
【００１６】
請求項５の発明によれば、遮蔽部によって光が遮られる範囲が狭くなり、より広い範囲に光が照射されるようになり、虫の誘引効果が向上する。
【発明を実施するための最良の形態】
【００１７】
本発明の第１の実施形態に係る害虫防除装置について、図１及び図２を参照して説明する。本実施形態の害虫防除装置１は、虫２を誘引する光源３及び光源３により誘引された虫２を捕獲する捕獲部４を有する捕虫器５を備える。この捕虫器５は、光源３及び捕獲部４を収納する筐体５０と、この筐体５０に設けられ、光源３からの光を出射する開口部５１と、を備える。また、本実施形態の害虫防除装置１は、捕虫器５の開口部５１から出射される光のうち、上方へ向かう光を遮蔽する遮蔽部６を備える。なお、図中、光源３から出射される光を破線矢印で示している。
【００１８】
捕虫器５は、汎用の捕虫器であり、光源３、捕獲部４及び筐体５０を備え、筐体５０には光源３の光を出射するための開口部５１が形成されておれば、その構成や形状について、特に限定されるものではない。また、光源３は、汎用の捕虫器用蛍光灯（ＵＶ-Ａランプ）等が用いられ、好ましくは誘虫効果の高い波長が略３４０〜３８０ｎｍの光を出射する光源が用いられる。捕獲部４も、特に限定されないが、本実施形態の害虫防除装置１は、室内に適用されるため、電撃殺虫式等ではなく、光源３に誘引された害虫２を粘着シートにより捕獲するタイプの捕獲部が好ましい。
【００１９】
遮蔽部６は、捕虫器５の開口部５１の上端から前方へ突出するように配置された薄板材である。遮蔽部６は、捕虫器５の筺体５０と一体的に形成されていてもよいが、メンテナンス等のために取り外し可能とされていることが望ましい。遮蔽部６に用いられる薄板材は、所定の強度を備え、光を透過しない材質から成るものであれば特に限定はなく、例えば、ステンレス板や樹脂材料から成る薄板が用いられる。
【００２０】
本実施形態の害虫防除装置１は、前方へ突出した遮蔽部６が人の往来の妨げとならないように、少なくとも人の背丈よりも高い位置に設置されるが、光源３の交換や捕獲部４のメンテナンス等が可能なように、ユーザの手に届く高さ位置に設置されることが望ましい。また、害虫防除装置１は、好ましくは室開口部７の近傍に設置される。こうすると、室内に侵入した虫２が速やかに捕獲されるので、虫２が室内を飛翔して様々な害を与えることが予防される。
【００２１】
本実施形態の害虫防除装置１は、捕虫器５の開口部５１から出射される光のうち、上方へ向かう光が遮蔽部６により遮蔽され、その一部は下方向へ反射する。そのため、捕虫器５の設置位置や天井面の高さに拘わらず、光源３から出射された光が、室内の下方にも届き、これら室内の下方を飛翔する虫２が効果的に誘引される。また、遮蔽部６には光が多く照射されるので、上方へ向かう虫２は、遮蔽部６の周囲に定位し、捕獲部４により捕獲されやすくなる。更に、天井面へ向かう光が遮蔽されているので、虫が天井面に衝突等することによって天井が汚れることもない。
【００２２】
遮蔽部６の表面は、好ましくは、開口部５１から出射される光の一部又は全部を反射する反射特性を有するように形成されていることが望ましい。このように、遮蔽部６の表面が光の一部又は全部を反射するようにするためには、例えば、遮蔽部６がアルミ板により形成されてもよいし、樹脂材料等で形成された遮蔽部６の表面に、アルミ蒸着又は光反射率の高い白色塗料の塗布といった表面加工処理が施されてもよい。
【００２３】
以下、本実施形態の害虫防除装置１による害虫防除効果を調べるために行われた捕虫実験について説明する。この捕虫実験は、室外から飛翔昆虫が侵入可能となっている室内で、その壁面の同じ高さ位置に、捕虫器５に光反射率の低い黒色の遮蔽部６を備えた害虫防除装置１（実施例１）、捕虫器５に光反射率の高い白色の遮蔽部６を備えた害虫防除装置１（実施例２）及び遮蔽部６を備えない捕虫器５（比較例１、比較例２）を夫々設置し、所定時間経過後、夫々の捕獲部４に捕獲された虫の捕虫数を係数した。なお、上記実施例１及び比較例１について、また、上記実施例２及び比較例２について同時期に実験が行われた。その結果を表１に示す。
【００２４】
【表１】
2008154519.tif 000003
【００２５】
表１に示される結果において、黒色の遮蔽部６を備えた害虫防除装置１（実施例１）及び白色の遮蔽部６を備えた害虫防除装置１（実施例２）は、遮蔽部６を備えない捕虫器５（比較例１、比較例２）に対して、夫々３倍以上の捕虫数を示しており、遮蔽部６を備えることにより、効果的に虫を捕獲できることが分かった。
【００２６】
また、上記の結果により、白色の遮蔽部６を備えた害虫防除装置１（実施例２）が、黒色の遮蔽部６を備えた害虫防除装置１（実施例１）よりも捕虫数が多くなることが示された。白色の遮蔽部６は、黒色の遮蔽部６よりも、光源３から出射された光を多く反射することができる。そのため、害虫防除装置１に白色の遮蔽部６が備えられると、害虫防除装置１の下方にも多くの光が届くようになるので、下方に居る飛翔昆虫に対する誘引効果が高まる。
【００２７】
本の実施形態では、壁面設置型の捕虫器５に遮蔽部６を設けた例を示したが、以下に本実施形態の変形例について図３を参照して説明する。この変形例は、上記の遮蔽部６を、据え置き型の捕虫器５の上部に設けたものである。この変形例による害虫防除装置１が、例えば、床面上といった低い位置に置かれると、遮蔽部６が上方へ出射される光を遮蔽するので、虫を誘引する光が、人の目に入らないようにしつつ、床面付近に居る虫２を効果的に捕獲することができる。
【００２８】
次に、本発明の第２の実施形態に係る害虫防除装置について、図４を参照して説明する。本実施形態の害虫防除装置１は、捕虫器５が、室開口部７上方に設置され、遮蔽部６の横幅が、室開口部７の横幅よりも大きく形成されている。遮蔽部６は、好ましくは捕虫器５を取り囲むように形成されている。このように、捕虫器５が、室内への虫２の侵入経路である室開口部７の上方に設けられると、室開口部７から室内へ侵入した直後に多くの虫２を誘引して捕獲できる。また、虫２を遮蔽部６の周囲に定位させることができるので、虫２の捕獲効率が向上するだけでなく、虫２が室内を飛び回るのを抑制できる。更に、捕虫器５の上方に遮蔽部６が設けられることにより、捕虫器５から上方に出射された光が遮蔽部６により反射されて、捕虫器５の下方にも届き、虫２の誘引効果が更に高まる。
【００２９】
続いて、本発明の第３の実施形態に係る害虫防除装置について、図５（ａ）（ｂ）を参照して説明する。本実施形態の害虫防除装置１において、遮蔽部６には、貫通孔６１，６２が形成されている。他の構成は上記第１の実施形態と同様である。貫通孔６１，６２は、図５（ａ）に示されるように、多数の円形孔が設けられてもよいし、図５（ｂ）に示されるように、線状の切込みが複数設けられてもよい。その形状及び個数は、天井面への光の照射を遮蔽し、害虫防除装置１の下方へ光を反射する遮蔽部６の機能を損なわない程度に、害虫防除装置１の設置環境や遮蔽部６の大きさや等に応じて適宜に決定される。
【００３０】
実施形態の害虫防除装置１によれば、遮蔽部６に照射された光の一部が、遮蔽部６を透過して、害虫防除装置１の上方にも届くようになるので、害虫防除装置１の直上を飛翔する虫２を効果的に誘引することができる。
【００３１】
次に、本発明の第４の実施形態に係る害虫防除装置について、図６（ａ）（ｂ）を参照して説明する。本実施形態の害虫防除装置１では、遮蔽部６の先端部６３が、遮蔽部６の基部６４よりも上方に位置するように配置されている。他の構成は上記第１の実施形態と同様である。本実施形態の害虫防除装置１は、遮蔽部６によって光が遮断される範囲が狭くなるので、より広い範囲に光が照射されるようになり、虫２の誘引効果が向上する。また、図６（ｂ）に示されるように、遮蔽部６の先端部６３が下方に折り曲げられるように形成されていてもよい。こうすると、遮蔽部６の下面に誘引された虫２がより効率的に捕獲されるようになる。
【００３２】
なお、本発明は、上記の構成に限られることなく種々の変形が可能である。例えば、開口部５０の一部に、光源３から出射された光うち、特定の波長の光をカットする光フィルタ等が設けられ、誘虫光特有の光の青みを低減させてもよい。
【図面の簡単な説明】
【００３３】
【図１】本発明の第１の実施形態に係る害虫防除装置の斜視図。
【図２】同装置の設置例を示す斜視図。
【図３】同装置の変形例を示す斜視図。
【図４】本発明の第２の実施形態に係る害虫防除装置の斜視図。
【図５】本発明の第３の実施形態に係る害虫防除装置の斜視図。
【図６】本発明の第４の実施形態に係る害虫防除装置の斜視図。
【図７】従来の捕虫器の設置例を示す斜視図。
【符号の説明】
【００３４】
１    害虫防除装置
２    虫
３    光源
４    捕獲部
５    捕虫器
５０    筺体
５１    開口部
６    遮蔽部
７    室開口部
【図１】
2008154519.tif 000004
【図２】
2008154519.tif 000005
【図３】
2008154519.tif 000006
【図４】
2008154519.tif 000007
【図５】
2008154519.tif 000008
【図６】
2008154519.tif 000009
【図７】
2008154519.tif 000010